(57)【要約】      （修正有）【課題】生花を生ける生花容器に支持した背板に芳名板を所定の傾斜角度に調整して連結支持でき、芳名板に表示の芳名を見やすくさせる芳名板用スタンド具を提供する。【解決手段】生花Ｆを生ける生花容器１１に支持する背板１４と、この背板１４に連結支持して生花Ｆの上方に配置する芳名板１５とを連結するスタンド具１であり、背板１４あるいは芳名板１５の端部を嵌め入れて挟持する一対の挟着体２相互を蝶番機構８によって揺動自在に連結して成る。挟着体２は、平板状の挟持基板３と、断面で溝形状に形成されていて、一方側部５で挟持基板３面に取り付け、他方側部６の開口端縁が外方に拡開状となっているガイド片７を有する挟着板４とから構成する。他方側部６は、内方に向かって山形状に折曲して開口端縁部分をガイド片７となし、山形突部と一方側部５との間隙幅員を背板１４、芳名板１５の肉厚に比し小さくして弾発的に強く挟持する。【選択図】図１
0003204996.tif 000002
【実用新案登録請求の範囲】
【請求項１】
生花を生ける生花容器に支持される背板と、この背板に連結支持されて生花の上方に配置される芳名板とを連結するスタンド具であって、背板あるいは芳名板の端部を嵌め入れて挟持する一対の挟着体相互を蝶番機構によって揺動自在に連結して成ることを特徴とする芳名板用スタンド具。
【請求項２】
前記挟着体は、蝶番機構に連結される平板状の挟持基板と、断面で溝形状に形成されていて、平坦状の一方側部によって挟持基板面に取り付けられ、他方側部の開口端縁が外方に拡開状となっているガイド片を有する挟着板とから成る請求項１に記載の芳名板用スタンド具。
【請求項３】
前記他方側部は、内方に向かって山形状に折曲されていて、この他方側部における外方に拡開されている開口端縁部分をガイド片となし、山形突部とこれに対向する一方側部との間隙幅員を背板、芳名板の肉厚に比しやや小さくしてあって、嵌め入れた状態では背板、芳名板を弾発的にでも強く挟持するようにしてある請求項２に記載の芳名板用スタンド具。
【考案の詳細な説明】
【技術分野】
【０００１】
この考案は、主として葬儀などで飾られる生花の送り主等を掲示すべく、その生花用の支持台等の背板に取り付けられる芳名板を簡単に連結支持でき、また芳名板の掲示角度の調整も容易である芳名板用スタンド具に関する。
【背景技術】
【０００２】
本出願人は、葬儀などで飾られる生花及びその送り主を表示した芳名板を、その生花用の支持台（背板）に取り付けられるようにした特許文献１に係る芳名札付生花容器を提案している。この芳名札付生花容器は、生花を生ける容器に設けた支柱に背板を取り付けると共に、この背板の上端に連結した連結板を介して芳名札を連結支持するようにして成る。
【先行技術文献】
【特許文献】
【０００３】
【特許文献１】登録実用新案第３１６５２７２号公報
【考案の概要】
【考案が解決しようとする課題】
【０００４】
この特許文献１における連結板は、背板の上端部分、芳名札の下端部分のそれぞれを嵌め入れるようにした嵌合溝を形成して成り、嵌合溝内に背板、芳名札の端部をやや強制的にでも嵌め入れることで、生花の背部上方に芳名札を掲示させるようにしている。ところが、連結板の嵌合溝はこれの内部に背板、芳名札を嵌め入れるに際し、背板、芳名板等を確実に連結するために狭い幅で形成されているから、嵌め入れ作業自体に手間が掛かり、背板、芳名札等を損傷させることもあった。そればかりでなく、連結板自体は平板状に形成されているから、生花を生ける容器自体が設置面の状況によって傾いていたり、芳名札自体の重みで芳名札自体が傾いたりして、芳名札に表示した芳名が見づらくなることもあった。
【０００５】
そこでこの考案は上述したような従来存した諸事情に鑑み案出されたもので、生花を生ける生花容器に取り付けた背板に芳名板を連結支持させるに際し、背板、芳名板それぞれの嵌め入れ連結作業を容易に行うことができ、また連結させる背板、芳名板の端部を損傷させずに済み、しかも背板に対する芳名板の連結支持角度を調整可能にして、例えば上方位置に配される芳名板はやや下向きにする等の適正な角度で芳名板を連結支持できるようにした芳名板用スタンド具を提供することにある。
【課題を解決するための手段】
【０００６】
上述した課題を解決するため、この考案にあっては、後述する考案を実施するための形態における使用符号を付記して説明すると、生花Ｆを生ける生花容器１１に支持される背板１４と、この背板１４に連結支持されて生花Ｆの上方に配置される芳名板１５とを連結するスタンド具１であって、背板１４あるいは芳名板１５の端部を嵌め入れて挟持する一対の挟着体２相互を蝶番機構８によって揺動自在に連結して成ることを特徴とする。
挟着体２は、蝶番機構８に連結される蝶番平板状の挟持基板３と、断面で溝形状に形成されていて、平坦状の一方側部５によって挟持基板３面に取り付けられ、他方側部６の開口端縁が外方に拡開状となっているガイド片７を有する挟着板４とから構成することができる。
他方側部６は、内方に向かって山形状に折曲されていて、この他方側部６における外方に拡開されている開口端縁部分をガイド片７となし、山形突部とこれに対向する一方側部５との間隙幅員を背板１４、芳名板１５の肉厚に比しやや小さくしてあって、嵌め入れた状態では背板１４、芳名板１５を弾発的にでも強く挟持するようにして構成することができる。
【０００７】
以上のように構成されたこの考案に係る芳名板用スタンド具にあって、生花容器１１に支持された背板１４に芳名板１５を、背板１４に対して所定の傾斜角度で連結支持させ、芳名板１５に表示してある芳名等が参列者等にとって見やすいものとさせ、また、背板１４、芳名板１５における連結支持部位を損傷させない。
挟着体２における断面で溝形状の挟着板４の他方側部６は、山形状に折曲されていることで形成される外方拡開状のガイド片７を有しており、このガイド片７によって背板１４、芳名板１５を挟着板４の内部に円滑に挟み込ませ、一方側部５との間で背板１４、芳名板１５を弾発的に挟持させて、背板１４、芳名板１５相互を確実に連結支持させる。
【考案の効果】
【０００８】
この考案は以上説明したように構成されているため、生花Ｆを生ける生花容器１１に支持した背板１４に芳名板１５を所定の傾斜角度に調整して連結支持でき、芳名板１５に表示の芳名を見やすくさせる。しかも背板１４、芳名板１５相互間の連結支持時における嵌め入れ連結作業を容易に行うことができ、例えば上方位置に配される芳名板１５をやや下向きにする等の適正な角度で芳名板１５を連結支持できる。また繰り返し使用される背板１４に対する芳名板１５の連結に際しても、これらの背板１４、芳名板１５の端部を損傷させずに済み、長期にわたる繰り返しの使用にも十分に耐え得るものである。
【０００９】
すなわちこれはこの考案において、生花容器１１に支持される背板１４に芳名板１５をスタンド具１によって連結支持するとき、このスタンド具１を、背板１４あるいは芳名板１５の端部を嵌め入れて挟持する一対の挟着体２相互を蝶番機構８によって揺動自在に連結して成るものとしたからである。これによって、背板１４と芳名板１５との角度調整による連結支持、背板１４、芳名板１５の損傷を防止した長期の繰り返し使用を可能にする。
【００１０】
また、挟着体２は、断面で溝形状の挟着板４における他方側部６は、一方側部５に対して間隙幅員を狭めるよう内方に向かって山形状に折曲されていて、背板１４、芳名板１５の肉厚に比しやや小さくして嵌め入れた状態で背板１４、芳名板１５を弾発的にでも強く挟持するようにしてあるから、背板１４に対して芳名板１５を確実、安定的に連結支持でき、蝶番機構８によって傾斜状態で支持しても抜け落ちることもない。
【００１１】
挟着体２における挟着板４の他方側部６の開口端縁が外方に拡開状となっているガイド片７となっているから、この挟着板４内に背板１４あるいは芳名板１５が嵌め入れられるとき、ガイド片７を拡開させながらもスムーズに行うことができる。そのため、背板１４、芳名板１５は、例えば葬儀時には連結使用され、保管時には分離される等で取り外し、嵌め入れが繰り返されても、これらの端部等を損傷させることもなく長期にわたり使用することができる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す生花支持装置全体の分解斜視図である。
【図２】同じくこの考案に係るスタンド具の斜視図である。
【図３】同じく使用状態の側面図である。
【考案を実施するための形態】
【００１４】
以下、図面を参照してこの考案を実施するための一形態を説明すると、図において示される符号１はこの考案に係るスタンド具自体であり、スタンド具１は、生花Ｆを生ける生花容器１１に設けられた例えば逆Ｕ字状の支柱１２に連結バンド１３等によってスライド自在に嵌め入れられて生花容器１１の上方に配される背板１４と、この背板１４の上方に位置される芳名板１５とを角度調整自在に連結支持するものとして成る。
【００１５】
すなわち、スタンド具１自体は、背板１４あるいは芳名板１５の端部を嵌め入れて挟持する一対の挟着体２相互を蝶番機構８によって揺動自在に連結して成る。
【００１６】
図示にあっての挟着体２は、蝶番機構８に連結される平板状の挟持基板３と、断面で溝形状に形成されていて、平坦状の一方側部５によって挟持基板３面に取り付けられ、他方側部６の開口端縁が外方に拡開状となっているガイド片７を有する挟着板４とから成る。挟持基板３、挟着板４それぞれは、例えば芳名板１５の幅員にほぼ対応する長さを有しており、挟着板４内に嵌め入れ挟持された芳名板１５を確実に連結支持するようにしている。挟着板４における一方側部５は、例えば接着剤によって挟持基板３面に、例えば挟持基板３における端部側に固定されることで挟持基板３と一体化されるようにしてある。また、挟着板４自体は、透明な合成樹脂材によって形成されていることで、挟み込む芳名板１５に表示した芳名等が隠蔽されることがないようにしてある。
【００１７】
挟着板４における他方側部６では、挟着板４内に嵌め入れ挟持される背板１４、芳名板１５が挟着板４内から抜脱されることがないよう、内方に向かって山形状に折曲させて山形突部とこれに対向する一方側部５との間隙幅員を、背板１４、芳名板１５の肉厚に比しやや小さく形成することで、嵌め入れた状態では背板１４、芳名板１５等を弾発的にでも強く挟持するようにしている。また、内方への山形状の折曲形態によって、他方側部６における開口端縁が外方に拡開されているガイド片７となっている。
【００１８】
前記蝶番機構８は、揺動自在に軸支された一対の揺動片９から成り、揺動片９が前記挟持基板３面、すなわち挟持基板３における基部に例えばねじ止め、接着等によって固着されていて、軸支部分によって揺動片９を介して挟着体２相互を開閉状に揺動可能にさせている。これによって、挟着体２それぞれに嵌め入れ挟持された背板１４、芳名板１５相互間の連結角度を自在に調整できるようにしている。
【００１９】
尚、図示にあっては、挟着体２は同一構造・形状としてあることで、いずれに背板１４、芳名板１５を嵌め入れ支持するものとしても良く、あるいは大きさを異なるようにすることで、いずれかに対しての取付安定性を向上させるようにしても良い。
【００２０】
次にこれの使用の一例を説明すると、生花Ｆを生けた生花容器１１の支柱１２に背板１４を取り付けておき、この背板１４に芳名板１５を連結支持するとき、この考案に係るスタンド具１における一方の挟着体２によって背板１４の上端部にスタンド具１を装着し、他方の挟着体２によって芳名板１５を連結して、生花Ｆの上方に配置する。背板１４に芳名板１５を連結支持するに際し、蝶番機構８によって芳名板１５の傾斜角度を適宜に調整するのであり、例えば上方位置に配置される芳名板１５ではやや下方に向けた傾斜状態とし、下方位置に配置される芳名板１５では傾斜させずに真っ直ぐにしておいたり、あるいはやや上方に向けたりして、芳名板１５に表示の芳名が参列者から見やすいようにするのである。
【００２１】
なお、使用に際し、挟着体２の挟着板４が生花を飾る正面側に向けられている場合として説明、図示されているも、場合によっては、挟着板４を背面側に向けることで、正面側には挟着体２の挟着基板３の裏面が向けられることもある。
【符号の説明】
【００２２】
Ｆ…生花
１…スタンド具                          ２…挟着体
３…挟持基板                            ４…挟着板
５…一方側部                            ６…他方側部
７…ガイド片                            ８…蝶番機構
９…揺動片
１１…生花容器                          １２…支柱
１３…連結バンド                        １４…背板
１５…芳名板
【図１】
0003204996.tif 000003
【図２】
0003204996.tif 000004
【図３】
0003204996.tif 000005